(57)【要約】【課題】  ナースコールのためのボタンを患者等が手元で操作することが可能でありながら、上記のボタンが不要である時にはこのボタンを速やかに使用可能な状態に維持することを可能とする。【解決手段】  操作ユニット224に、押しボタン224aを備える。操作ユニット224を、アーム部21とともに照明スタンドを構成するヘッド部22に着脱可能とする。【選択図】      図２
2005052404.tif 000002
【特許請求の範囲】
【請求項１】
照明器を備えた照明スタンドと、
ナースコール用の呼出しボタンを備え、前記照明スタンドに着脱可能な操作ユニットとを具備したナースコール子機。
【請求項２】
前記照明器は無影灯であることを特徴とする請求項１に記載のナースコール子機。
【請求項３】
前記照明スタンドから引き出され、前記操作ユニットが接続されるコードをさらに備えることを特徴とする請求項２に記載のナースコール子機。
【請求項４】
前記操作ユニットは、マイクロホンをさらに備えることを特徴とする請求項１に記載のナースコール子機。
【発明の詳細な説明】
【技術分野】
【０００１】
本発明は、例えばナースコールシステムに適用されて、例えば患者によるナースコール呼出しのための操作を受けるためのナースコール子機に関する。
【背景技術】
【０００２】
ナースコール子機は、ナースコールボタンを備えており、このナースコールボタンによりナースコール呼出しのための操作を受け付ける。一般的なナースコール子機としては、握り押しボタン型が知られている。握り押しボタン型のナースコール子機は、手のひらで握るのに適した形状のグリップ部に、このグリップ部を握った手の指で操作するようにナースコールボタンを設ける。
【０００３】
この種のナースコール子機は、病室の壁面などに設置される端子にコードを介して接続される。そしてナースコール子機のグリップ部は、患者が操作しないときには、ベッド脇の物置台やベッド上などに置かれる。
【０００４】
このため、グリップ部が床に落下してしまったり、物陰に隠れてしまったりする場合があり、そのような状態でナースコール呼出しの必要が生じた際には、患者がナースコールボタンを速やかに操作することができないおそれがあった。
【０００５】
なお、小物入れなどの収容ケースの扉部の外側面にスイッチを設けたスイッチ装置が知られている（例えば、特許文献１を参照）。しかしながらこのような技術は、ナースコール子機におけるナースコールボタンの実装には向かない。
【特許文献１】特開２００３−７２４７３
【発明の開示】
【発明が解決しようとする課題】
【０００６】
以上のように、ナースコール用のボタンをベッド上の患者が手元で操作できるようにその位置を自由に動かせるようにすると、このボタンがすぐに手に取ることができない状態になってしまうことがあり、速やかな操作が妨げられるおそれがあった。
【０００７】
本発明はこのような事情を考慮してなされたものであり、その目的とするところは、ナースコールのためのボタンを患者等が手元で操作することが可能でありながら、上記のボタンが不要である時にはこのボタンを速やかに使用可能な状態に維持することができるナースコール子機を提供することにある。
【課題を解決するための手段】
【０００８】
本発明は、照明器を備えた照明スタンドと、ナースコール用の呼出しボタンを備え、前記照明スタンドに着脱可能な操作ユニットとを備えた。
【発明の効果】
【０００９】
本発明によれば、操作ユニットを、照明スタンドから取り外して患者等の手元に置いておくことも、照明スタンドに装着しておくことも可能であり、この結果、ナースコールのためのボタンを患者等が手元で操作することが可能でありながら、上記のボタンが不要である時にはこのボタンを速やかに使用可能な状態に維持することが可能となる。
【発明を実施するための最良の形態】
【００１０】
以下、図面を参照して本発明の一実施形態につき説明する。  
図１は、この発明の一実施形態に係わるナースコール子機が利用されるナースコールシステムの概略構成図である。なお、この実施形態では病棟に設置される看護支援用のナースコールシステムを例にとって説明する。
【００１１】
このナースコールシステムは、各病室にそれぞれ設置される病室ユニット1-1〜1-nと、ナースセンタに設置されるセンタ装置としてのナースコール親機2とを備え、これらの病室ユニット1-1〜1-nとナースコール親機2との間はそれぞれ通信線路を介して接続される。またナースコールシステムは、例えば病院内の通信センタに設置される無線交換装置3および構内交換機（ＰＢＸ：Private Branch Exchange）4を備え、無線交換装置3には無線ユニット6が接続され、またＰＢＸ4は公衆網5に接続される。
【００１２】
さらに、上記ナースコール親機2には、例えばＬＡＮ（Local Area Network）8を介して看護支援サーバ9およびプリンタ10が接続される。看護支援サーバ9は、看護支援のための種々情報を記憶し管理する。プリンタ10は、上記看護支援サーバ9に記憶されたデータをプリントアウトする。なお、図１の例では、看護支援サーバ9およびプリンタ10は、ＬＡＮ8に属するハブ8aを介して互いに接続され、さらにはナースコール親機2と接続される。
【００１３】
病室ユニット1-1〜1-nは、病室の天井等に設置されたマイクロホン101およびスピーカ102と、トイレ・浴室用押しボタン103と、代表廊下灯104と、復旧ボタン105とを備え、これらはＩ／Ｏユニット106を介して個別情報廊下灯107に接続される。また病室ユニット1-1〜1-nは、ハンド型子機109、握り押しボタン110および照明付きアーム型子機111を備え、これらは病床の壁に設けられた壁埋め込み型子機108を介して上記個別情報廊下灯107に接続される。
【００１４】
このうち、握り押しボタン110およびトイレ・浴室用押しボタン103は患者が看護師を呼び出す際に使用するもので、その操作信号はそれぞれ壁埋め込み型子機108またはＩ／Ｏユニット106を介して個別情報廊下灯107に伝えられる。また、壁埋め込み型子機108に設けられた押しボタンが押下された場合にも、操作信号が個別情報廊下灯107に伝えられる。また、照明付きアーム型子機111にも患者が看護士を呼び出すための押しボタンが設けられていて、この押しボタンが押下された場合にも、操作信号が個別情報廊下灯107に伝えられる。個別情報廊下灯107は、上記各押しボタンの操作信号を受信すると、自身の表示部に呼出の発生を表示する。またそれとともに、呼出信号を生成してナースコール親機2へ送信する。呼出信号には、押しボタンの番号またはアドレス情報が挿入される。
【００１５】
マイクロホン101とスピーカ102、ハンド型子機109、壁埋め込み型子機108および照明付きアーム型子機111は、患者が、呼出に対し応答した看護師と通話を行うために使用するもので、その通話信号は通話路を介してナースコール親機2との間で伝送される。通話路は、ナースコール親機2において看護師が患者の呼出に対し応答操作することにより確立される。なお、復旧ボタン105は上記呼出をリセットする場合に使用される。
【００１６】
無線交換装置3は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット6の無線基地局6-1，6-2が接続される。無線基地局6-1，6-2はそれぞれ無線エリアを形成し、この無線エリア内に存在する携帯端末7-1〜7-mとの間で無線回線を介して接続される。局線インタフェースにはＰＢＸ4が接続される。
【００１７】
ところで、照明付きアーム型子機111は図１に示すように、アーム部21とヘッド部22とを含む。アーム部21は、周知の構造のフリーストップアームであり、基部はベッドの手すりや壁面等に固定される。ヘッド部22は、角度調節が可能なリンク機構を介してアーム部21の先端に連結される。
【００１８】
図２はヘッド部22の構成を示す斜視図である。  
この図２に示すようにヘッド部22は、無影灯221、照明スイッチ222、スピーカ223および操作ユニット224をまとめてユニット化している。無影灯221は、ある照明範囲を障害物による影を生じさせることなく照明する、周知の構成の照明灯である。照明スイッチ222は、患者等の使用者が無影灯221の点灯／消灯や調光のために使用する。スピーカ223は、患者が、呼出に対し応答した看護師と通話を行うために使用するもので、ナースコール親機2から通話路を介して伝送されてきた通話信号に応じて音声を拡声出力する。
【００１９】
操作ユニット224は、押しボタン224aおよびマイクロホン224bを備える。押しボタン224aは、患者が看護師を呼び出す際に使用するもので、その操作信号は壁埋め込み型子機108を介して個別情報廊下灯107に伝えられる。マイクロホン224bは、患者が、呼出に対し応答した看護師と通話を行うために使用するもので、その通話信号は通話路を介してナースコール親機2へ送信される。この操作ユニット224は、ヘッド部22とは独立した筐体に押しボタン224aおよびマイクロホン224bを備えて構成されており、図３に示すようにヘッド部22から取り外すことが可能となっている。操作ユニット224は、壁埋め込み型子機108に接続するためのコード225につながっている。コード225は、ヘッド部22から引き出すことが可能な長さを持たせてあり、操作ユニット224はヘッド部22から取り外した状態においても押しボタン224aおよびマイクロホン224bを使用することが可能である。
【００２０】
図４は操作ユニット224をヘッド部22に保持するための構造の一例を示す図である。  
ヘッド部22の筐体226は、操作ユニット224の外形よりも若干大きな収容部226aを持つように形成される。筐体226には、収容部226aに突出する突起226bが形成される。筐体226にて突起226bに対向した位置には、孔226cが形成される。孔226cには、ピン227がバネ228により収容部226aの方向へ付勢された状態で配置される。なお、図示は省略しているが、ピン227が孔226cから抜け落ちないようにするストッパが設けられている。
【００２１】
一方、操作ユニット224の外周面には、この操作ユニット224が収容部226aに挿入されたときに突起226bおよびピン227にそれぞれ対向する位置に、凹部224c，224dがそれぞれ形成されている。
【００２２】
かくして、操作ユニット224をヘッド部22の収容部226aに挿入した状態では、図４に示すように突起226bが凹部224cに、ピン227が凹部224dにそれぞれ係合し、操作ユニット224はヘッド部22に装着された状態に維持される。このように、操作ユニット224を患者の手元においておく必要が無いときには、操作ユニット224をヘッド部22に収容しておくことができる。このため、操作ユニット224が物陰などに隠れてしまうことはなく、いざというときに患者が操作ユニット224の場所をすぐに認識し、速やかに押しボタン224aの押下による呼出しを行うことができる。
【００２３】
ヘッド部22に収容されている操作ユニット224を図４における左方向に押すと、操作ユニット224によりピン227が押され、操作ユニット224はそのまま移動する。これにより、突起226bと凹部224cとの係合が外れ、図３に示すように操作ユニット224を収容部226aから取り出すことができる。これにより、操作ユニット224を患者の手元に置いておくことができ、患者が体を動かすことなく呼出しを行うことができる。
【００２４】
また、ヘッド部22には無影灯221が備えられているから、この無影灯221を用いて病床での医療処置を効率的に行うことができる。また無影灯221であるから、操作ユニット224を取り出してコード225が垂れ下がった状態であっても、このコード225による影ができることがない。
【００２５】
また、操作ユニット224にはマイクロホン224bも備えられているので、操作ユニット224が取り外された状態では、マイクロホン224bを患者の口に近接させることができる。これにより、看護士との通話を小さな声で行うことができる。
【００２６】
なお、本発明は上記実施形態に限定されるものではない。例えば無影灯221に代えて、通常タイプの照明器を備えることも可能である。  
また、操作ユニット224とヘッド部22との間の信号伝送は、無線、赤外線、あるいは光などを用いたワイヤレス伝送とすることも可能である。  
ヘッド部22に、コード225を自動巻き取りするリール機構を内蔵するようにすると、操作ユニット224をヘッド部22に装着する作業が容易となって便利である。  
このほか、本発明の要旨を逸脱しない範囲で種々の変形実施が可能である。
【図面の簡単な説明】
【００２７】
【図１】一実施形態に係わるナースコール子機が利用されるナースコールシステムの概略構成図。
【図２】ヘッド部22の構成を示す斜視図。
【図３】ヘッド部22から操作ユニット224を取り外した状態を示す斜視図。
【図４】操作ユニット224をヘッド部22に保持するための構造の一例を示す図。
【符号の説明】
【００２８】
111…アーム型子機、21…アーム部、22…ヘッド部、221…無影灯、222…照明スイッチ、223…スピーカ、224…操作ユニット、224a…押しボタン、224b…マイクロホン、224c，224d…凹部、225…コード、226…筐体、226a…収容部、226b…突起、226c…孔、227…ピン、228…バネ。
【図１】
2005052404.tif 000003
【図２】
2005052404.tif 000004
【図３】
2005052404.tif 000005
【図４】
2005052404.tif 000006